(57)【要約】ポイントツーマルチポイントサービスと、一方向無線ベアラ依存する他のワイヤレス通信サービスとをテストする方法および装置、および／または非認識モード動作を、ここで説明する。ワイヤレス通信装置は、テスト始動メッセージ受信に応じてテストモジュールを始動させる。テストモード中、テストモジュールは、一方向ダウンリンク無線ベアラまたは制御チャネルを介してテストシステムからＲＬＣデータユニットを受信する。ある実施形態において、テストモジュールは、受信ＲＬＣデータユニットに基づいてエラーメトリックを決定するメトリック評価部を備える。テストモジュールはエラーメトリックをテストシステムに報告する。別の実施形態においては、テストモジュールは、一方向アップリンク無線ベアラを介してテストシステムへ、受信ＲＬＣデータユニットの少なくとも一部をループバックするループバックモジュールを備える。【選択図】図１
2009528739.tif 000002
【特許請求の範囲】
【請求項１】
移動体装置の動作テストを実施する方法であって、
テストシステムから受信されるテスト始動メッセージに応じて、前記移動体装置のテストモジュールを始動させることと、
前記テストシステムから無線リンク制御（ＲＬＣ）データユニットを受信することと、
前記テストモジュールにより受信される前記ＲＬＣデータユニットに基づいて、エラーメトリックを決定することと、
前記エラーメトリックを前記テストシステムに報告することと
を含む方法。
【請求項２】
前記エラーメトリックを決定することは、前記テストモジュールによる受信が成功した前記ＲＬＣデータユニットをカウントすることを含む、請求項１に記載の方法。
【請求項３】
前記エラーメトリックを決定することは、前記テストモジュールによる受信が失敗した前記ＲＬＣデータユニットをカウントすることを含む、請求項１に記載の方法。
【請求項４】
前記エラーメトリックを決定することは、前記テストモジュールにおいて受信される前記ＲＬＣデータユニットに基づいてエラーレートを決定することを含む、請求項１に記載の方法。
【請求項５】
前記ＲＬＣデータユニットを受信することは、ダウンリンク制御チャネルを介してテストモジュールにおいて前記ＲＬＣデータユニットを受信することを含む、請求項１に記載の方法。
【請求項６】
テストシステムと前記移動体装置との間に一方向ダウンリンク無線ベアラを構成することをさらに含む、請求項１に記載の方法。
【請求項７】
前記ＲＬＣデータユニットを受信することは、前記一方向ダウンリンク無線ベアラを介して前記テストモジュールにおいて前記ＲＬＣデータユニットを受信することを含む、請求項６に記載の方法。
【請求項８】
移動体装置の動作テストを実施する方法であって、
前記移動体装置のテストモジュールを始動させるために、前記移動体装置へテスト始動メッセージを送信することと、
前記移動体装置へ無線リンク制御（ＲＬＣ）データユニットを送信することと、
前記テストモジュールにより受信される前記ＲＬＣデータユニットに関連するエラーを示す少なくとも１つのエラーメトリックを前記移動体装置から受信することと
を含む方法。
【請求項９】
前記少なくとも１つのエラーメトリックを受信することは、前記移動局からユニットカウントを受信することを含み、その場合前記ユニットカウントは、いくつのＲＬＣデータユニットがテストモジュールにおいて受信に成功したかを識別する、請求項８に記載の方法。
【請求項１０】
前記少なくとも１つのエラーメトリックを受信することは、前記移動局からユニットカウントを受信することを含む、その場合前記ユニットカウントは、いくつのＲＬＣデータユニットがテストモジュールにおいて受信に失敗したかを識別する、請求項８に記載の方法。
【請求項１１】
前記エラーメトリックに基づいてエラーレートを計算することをさらに含む、請求項８に記載の方法。
【請求項１２】
少なくとも１つのエラーメトリックを受信することは、少なくとも１つのエラーレートを受信することを含む、請求項８に記載の方法。
【請求項１３】
前記ＲＬＣデータユニットを送信することは、一方向ダウンリンク無線ベアラを介して前記テストモジュールへ前記ＲＬＣデータユニットを送信することを含む、請求項８に記載の方法。
【請求項１４】
前記ＲＬＣデータユニット送信することは、ダウンリンク制御チャネルを介して前記テストモジュールへ前記ＲＬＣデータユニットを送信することを含む、請求項８に記載の方法。
【請求項１５】
移動体装置の動作テストを実施する方法であって、
テストシステムから受信されるテスト始動メッセージに応じて、前記移動体装置内のテストモジュールを始動させることと、
前記移動体装置と前記テストシステムとの間に一方向アップリンク無線ベアラを構成することと、
前記テストシステムから無線リンク制御（ＲＬＣ）データユニットを受信することと、
前記一方向アップリンク無線ベアラを介して前記テストシステムへループバックデータユニットを返すことと、その場合前記ループバックデータの各々は、前記テストモジュールにより受信される前記ＲＬＣデータユニットの少なくとも一部を含むことと、
を含む方法。
【請求項１６】
前記テストシステムと前記移動体装置との間に一方向ダウンリンク無線ベアラを構成することをさらに含む、請求項１５に記載の方法。
【請求項１７】
前記ＲＬＣデータユニットを受信することは、前記一方向ダウンリンク無線ベアラを介して前記ＲＬＣデータユニットを受信することを含む、請求項１６に記載の方法。
【請求項１８】
前記ＲＬＣデータユニットを受信することは、ダウンリンク制御チャネルを介して前記ＲＬＣデータユニットを受信することを含む、請求項１５に記載の方法。
【請求項１９】
各ＲＬＣデータユニットは、疑似乱数データを含む、請求項１５に記載の方法。
【請求項２０】
前記一方向アップリンク無線ベアラはランダムアクセスアップリンク送信チャネルに関連する、請求項１５に記載の方法。
【請求項２１】
移動体装置であって、
テストシステムから受信されるテスト始動メッセージに応じて前記移動体装置内のテストモジュールを始動させるように構成されるプロセッサと、
前記テストモジュールに関連し、前記テストモジュールにおいて前記テストシステムから受信されるＲＬＣデータユニットに基づいてエラーメトリックを決定するように構成されるメトリック評価部と、
前記エラーメトリックを前記テストシステムに報告するように構成されるトランシーバと
を備える移動体装置。
【請求項２２】
前記メトリック評価部は、前記エラーメトリックを決定するために、前記テストモジュールによる受信が成功した前記ＲＬＣデータユニットをカウントするように構成されるカウンタを備える、請求項２１に記載の移動体装置。
【請求項２３】
前記メトリック評価部は、前記エラーメトリックを決定するために、前記テストモジュールによる受信が失敗した前記ＲＬＣデータユニットをカウントするように構成されるカウンタを備える、請求項２１に記載の移動体装置。
【請求項２４】
前記エラーメトリックはエラーレートを含み、前記メトリック評価部は、前記テストモジュールにより受信される前記ＲＬＣデータユニットに基づいて前記エラーレートを決定するように構成される、請求項２１に記載の移動体装置。
【請求項２５】
前記移動体装置は、ダウンリンク制御チャネルを介して前記テストモジュールにおいて前記ＲＬＣデータユニットを受信する、請求項２１に記載の移動体装置。
【請求項２６】
前記移動体装置は、一方向ダウンリンク無線ベアラを介して前記テストモジュールにおいて前記ＲＬＣデータユニットを受信する、請求項２１に記載の移動体装置。
【請求項２７】
移動体装置に関連するテストシステムであって、
前記移動装置内のテストモジュールを始動させるために、前記移動体装置へテスト始動メッセージを送信し、
前記移動体装置へ無線リンク制御（ＲＬＣ）データユニットを送信し、
前記テストモジュールにより受信される前記ＲＬＣデータユニットに関連するエラーを示す少なくとも１つのエラーメトリックを前記移動体装置から受信する
ように構成されるトランシーバ
を備えるテストシステム。
【請求項２８】
受信される前記エラーメトリックは、いくつのＲＬＣデータユニットが前記テストモジュールにより受信に成功したかを識別するユニットカウントを含む、請求項２７に記載のテストシステム。
【請求項２９】
受信される前記エラーメトリックは、いくつのＲＬＣデータユニットが前記テストモジュールにより受信に失敗したかを識別するユニットカウントを含む、請求項２７に記載のテストシステム。
【請求項３０】
受信される前記エラーメトリックに基づいてエラーレートを計算するように構成されるメトリック計算部をさらに備える、請求項２７に記載のテストシステム。
【請求項３１】
前記トランシーバは、一方向ダウンリンク無線ベアラを介して前記テストモジュールへ前記ＲＬＣデータユニットを送信するように構成される、請求項２７に記載のテストシステム。
【請求項３２】
前記トランシーバは、ダウンリンク制御チャネルを介して前記テストモジュールへ前記ＲＬＣデータユニットを送信するように構成される、請求項２７に記載のテストシステム。
【請求項３３】
移動体装置であって、
テストシステムから受信されるテスト始動メッセージに応じて、前記移動体装置内のテストモジュールを始動させるように構成されるプロセッサと、
前記テストモジュールに関連し、一方向アップリンク無線ベアラを介してループバックデータユニットを返すように構成されるループバックモジュールと、その場合前記ループバックデータユニットの各々は、前記テストモジュールにより受信される無線リンク制御（ＲＬＣ）データユニットの少なくとも一部を含むことと、
前記テストシステムから前記ＲＬＣデータユニットを受信し、前記テストシステムへ前記ループバックデータユニットを送信するように構成されるトランシーバと
を備える移動体装置。
【請求項３４】
前記トランシーバは、一方向ダウンリンク無線ベアラを介して前記ＲＬＣデータユニットを受信する、請求項３３に記載の移動体装置。
【請求項３５】
前記トランシーバは、前記ダウンリンク制御チャネルを介して前記ＲＬＣデータユニットを受信する、請求項３３に記載の移動体装置。
【発明の詳細な説明】
【技術分野】
【０００１】
本発明は、一般的にはワイヤレス通信装置に関し、より具体的にはワイヤレス通信装置に対する動作テストに関する。
【背景技術】
【０００２】
ポイントツーマルチポイントサービスは、ワイヤレスネットワークが発信場所から特定の場所または加入組内の複数のワイヤレス通信装置へメッセージを同時に送信することを可能にする。このようなサービスは、スポーツ最新情報、ヘッドラインニュース、天気最新情報、広告などを自動的に提供可能であることから、加入者およびプロバイダに人気がある。マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：ＭＢＭＳ）は、３ＧＰＰ用ポイントツーマルチポイントサービスの一例である。
【０００３】
ワイヤレス通信サービスと同様に、ポイントツーマルチポイントサービスは、動作要件、すなわち、ブロックエラー比（ｂｌｏｃｋ  ｅｒｒｏｒ  ｒａｔｉｏ：ＢＬＥＲ）要件とサービスデータユニットエラー比（ＳＤＵ  ＥＲ：ｓｅｒｖｉｃｅ  ｄａｔａ  ｕｎｉｔ（ＳＤＵ）ｅｒｒｏｒ  ｒａｔｉｏ）要件とを含むエラーレート要件を有する。したがって、ポイントツーマルチポイントサービスを受信するワイヤレス通信装置は、動作テストを受けることが必要である。従来のテスト手続きは、多くのワイヤレス通信サービスに適用する一方で、ポイントツーマルチポイントサービスとは一般的に互換性がない。例えば従来のあるテスト手続きは、ワイヤレス通信装置がテストシステムへ受信テストデータをループバックすることを可能にするために、ワイヤレス通信装置が双方向無線ベアラを使用することを必要とする。しかしながら、ワイヤレス通信装置は概して一方向無線ベアラをポイントツーマルチポイントサービスに使用する。結果として、ワイヤレス通信装置は、受信ポイントツーマルチポイントテストデータをループバックできない。従来の他のテスト手続きは、テストデータが安全に受信されたかどうかをワイヤレス通信装置が示すことができるように、ワイヤレス通信装置が認知（ａｃｋｎｏｗｌｅｄｇｅｄ）モードで動作することを必要とする。しかしながら、ポイントツーマルチポイントサービスは概して非認知モードで動作し、その場合ワイヤレス通信装置はデータの安全受信を認知しない、あるいは確認しない。このように、一方向無線ベアラおよび／または非認知モード動作に依存するワイヤレス通信サービスに適用可能なテスト手順の必要性が残っている。
【発明の開示】
【０００４】
本発明は、テストモード中、ワイヤレス通信装置のネットワークレイヤにおけるテストモジュールを始動させることにより、ワイヤレス通信装置に対する動作テストを提供する。ある実施形態によれば、ワイヤレス通信装置は、テストモード中、テストシステムから無線リンク制御（ＲＬＣ）データユニットを受信する。テストモジュールに関連するメトリック評価部が、テストモジュールにおいて受信されるＲＬＣデータユニットに基づいてエラーメトリックを決定する。例えば、テストモジュールによる受信が成功したＲＬＣデータユニット、またはテストモジュールによる受信が失敗したＲＬＣデータユニットのいずれかをカウントすることによってエラーメトリックを決定するカウンタを、メトリック評価部は備えてもよい。あるいは、メトリック評価部は、受信ＲＬＣデータユニットに関連するエラーレートまたは他の動作メトリックを決定することによってエラーメトリックを決定してもよい。いずれにせよ、テストモジュールはエラーメトリックをテストシステムに報告する。
【０００５】
別の実施形態において、テストモジュールは、ワイヤレス通信装置とテストシステムとの間に一方向アップリンク無線ベアラを構成してもよい。テストモード中、テストモジュールはテストシステムからＲＬＣデータユニットを受信する。テストモジュールに関連するループバックモジュールが、一方向アップリンク無線ベアラを用いて、テストシステムへループバックデータユニットを返す。ループバックデータユニットは、テストモジュールにより受信されるＲＬＣデータユニットの少なくとも一部を含む。ある場合には、ループバックデータユニットは、テストモジュールによる受信が成功したＲＬＣデータユニットのうち少なくとも一部を含む。
【発明を実施するための最良の形態】
【０００６】
本発明は、ポイントツーマルチポイントサービスと、一方向無線ベアラに依存する他のワイヤレス通信サービスとをテストする方法および装置を提供する。概して、本発明によるワイヤレス通信装置は、テスト始動メッセージに応じてテストモジュールを始動させる。テストモード中、テストモジュールはテストシステムから一方向ダウンリンク無線ベアラまたは制御チャネルを介してＲＬＣデータユニットを受信する。ある実施形態において、テストモジュールは、受信ＲＬＣデータユニットに基づいてエラーメトリックを判定するメトリック評価部を含む。テストモジュールは、テストシステムにエラーメトリックを報告する。別の実施形態において、テストモジュールは、テストシステムへ一方向アップリンク無線ベアラを介して受信ＲＬＣデータユニットの少なくとも一部をループバックするループバックモジュールを含む。どちらの場合においても、テストシステムは、ワイヤレス通信装置により提供される情報を使用して、ワイヤレス通信装置の動作を評価する。
【０００７】
図１は、テストシステム２００と通信するワイヤレス通信装置１００のためのＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元アクセス）プロトコルモデルを示す。以下でさらに説明するように、テストシステム２００は、基地局のようなＷＣＤＭＡワイヤレスネットワークのある構成要素をシミュレートし、ワイヤレス通信装置１００に対する動作テストに関連する制御およびデータ情報を提供する。独立型実態として図示してはいるが、テストシステム２００はいかなるネットワーク装置の一部であってもよいということが了解されるであろう。例えば、テストシステム２００は基地局（図示せず）の一部である場合がある。
【０００８】
図１に示すプロトコルモデルのレイヤリングは、一般的に開放型システム間相互接続（Ｏｐｅｎ  Ｓｙｓｔｅｍｓ  Ｉｎｔｅｒｃｏｎｎｅｃｔｉｏｎ：ＯＳＩ）参照モデルに従う。プロトコルレイヤは、物理レイヤＬ１と、データリンクレイヤＬ２と、ネットワークレイヤＬ３と、様々な上部レイヤ（図示せず）とを含む。以下特に言及がなければ、ここで説明する実体はＷＣＤＭＡ規格に準拠する。本発明を説明するためにここではＷＣＤＭＡプロトコルモデルを用いるが、本発明は他の規格に基づくワイヤレス装置に使用されてもよいことを当業者は了解するであろう。
【０００９】
物理レイヤＬ１は、電気的、機械的および手続き的インターフェースを送信媒体に提供する。物理レイヤＬ１は、エアインターフェースを定め、ワイヤレス通信装置１００がリモートネットワーク装置と通信する通信チャネルを含む。より具体的には、物理層Ｌ１は、送信信号の符号化、変調および拡散と、受信信号の復号、復調および逆拡散とを行う。
【００１０】
データリンクレイヤＬ２は、データ送信レイヤとして働き、媒体アクセス制御（Ｍｅｄｉｕｍ  Ａｃｃｅｓｓ  Ｃｏｎｔｒｏｌ：ＭＡＣ）サブレイヤと無線リンク制御（Ｒａｄｉｏ  Ｌｉｎｋ  Ｃｏｎｔｒｏｌ：ＲＬＣ）サブレイヤとを含む。制御チャネルまたはトラフィックチャネルのような、送信データのタイプを特徴付ける、物理レイヤＬ１から論理チャネルへの送信チャネルを、ＭＡＣサブレイヤはマップする。ＲＬＣサブレイヤは、透過モード、認知モードおよび非認知モードデータ送信サービスをユーザに提供し、トラフィックの制御プレーン情報と、制御チャネルとをＭＡＣサブレイヤから提供する。データリンクレイヤＬ２は、信号送信無線ベアラ（Ｓｉｇｎａｌｉｎｇ  Ｒａｄｉｏ  Ｂｅａｒｅｒ：ＳＲＢ）を用いて制御プレーン情報をネットワークレイヤＬ３へ送信し、無線ベアラ（Ｒａｄｉｏ  Ｂｅａｒｅｒ：ＲＢ）を用いてユーザプレーン情報をネットワークレイヤＬ３へ送信する。
【００１１】
ネットワークレイヤＬ３は、基地局および移動局通信手続きの責任を担う。本発明によれば、ネットワークレイヤＬ３は、無線資源制御（Ｒａｄｉｏ  Ｒｅｓｏｕｒｃｅ  Ｃｏｎｔｒｏｌ：ＲＲＣ）サブレイヤ１１０と、テスト制御部１２０と、テストモジュール１３０とを含む。ＲＲＣサブレイヤ１１０は、アクセス層（Ａｃｃｅｓｓ  Ｓｔｒａｔｕｍ：ＡＳ）におけるデータリンクレイヤおよび物理レイヤと非アクセス層（Ｎｏｎ‐Ａｃｃｅｓｓ  Ｓｔｒａｔｕｍ：ＮＡＳ）におけるネットワークレイヤＬ３との間に制御インターフェースを提供する。一般的に、ＲＲＣサブレイヤ１１０は、ワイヤレス通信装置１００とテストシステム２００を含む何らかのリモートネットワークデバイスとの間の通信に必要な接続をセットアップ、メンテナンスおよびリリースする処理を行う。
【００１２】
テスト制御部１２０およびテストモジュール１３０は、ワイヤレス通信装置１００がテストモードで動作する場合に、動作テストを実行する手段を提供する。より具体的には、テストモジュールを始動させる、テストモジュール１３０内に要素を確立および構成する、ワイヤレス通信装置１００をテストモードにする、テストモジュールを逆始動させる、テストモードを終了するなどの受信制御メッセージに基づいて、テスト制御部１２０はテストモジュール１３０を制御する。テスト制御部１２０は、ワイヤレス通信装置１００とテストシステム２００との間のワイヤレスインターフェースを介して制御メッセージを受信可能である。あるいは、テスト制御部１２０は、ワイヤレス通信装置１００のユーザインターフェースを介して、またはワイヤレス通信装置１００の外部インターフェース上に受信されたメッセージを介して制御メッセージを受信してもよい。
【００１３】
本発明は、ワイヤレス通信装置１００がテストモードである間、動作テストを実行する。テストモードに入るために、テストシステム２００はテスト始動メッセージをワイヤレス通信装置１００へ送信する。より具体的には、テストシステム２００はワイヤレス通信装置１００とテストシステム２００との間に一方向ダウンリンク無線ベアラを構成し、テスト制御部１２０はテスト始動メッセージ受信に応じてテストモジュール１３０を始動させる。テストモジュール１３０を始動させて、一方向ダウンリンク無線ベアラを構成した後、ワイヤレス通信装置１００は始動完了メッセージをテストシステム２００へ送信する。その後、テスト制御部１２０がテストモジュール１３０を逆始動させるまで、ワイヤレス通信装置１００はテストモードで動作する。
【００１４】
テストモード中、テストシステム２００は、一方向ダウンリンク無線ベアラを用いてワイヤレス通信装置１００へＲＬＣデータユニットを送信する。データリンクレイヤＬ２は受信ＲＬＣデータユニットをテストモジュール１３０へ転送する。巡回冗長チェック（ｃｙｃｌｉｃ  ｒｅｄｕｎｄａｎｃｙ  ｃｈｅｃｋ）を含むが、それに限定はされない何らかの周知のエラー検出技術を用いて、テストモジュール１３０は受信ＲＬＣデータユニットの正確性を評価する。テストモジュール１３０内のメトリック評価部１３２が、評価されたデータに基づき、エラーメトリックを生成する。テストモジュール１３０は、メトリック評価部１３２により生成されるエラーメトリックを、テスト制御部１２０へ通信される制御メッセージを介してテストシステム２００に報告する。テストモジュール１３０は、テストシステム２００からのエラーメトリック要求に応じて、エラーメトリックをテストシステム２００に報告する場合がある。あるいは、テストモジュール１３０は、周期的にエラーメトリックをテストシステム２００に報告する場合もある。
【００１５】
ある実施形態において、メトリック評価部１３２はカウンタを備える場合があり、エラーメトリックは、テストモジュールによる受信が成功（または失敗）したＲＬＣデータユニットを表すユニットカウントを含む場合がある。この実施形態において、テストモジュール１３０は、テスト制御部１２０を介してテストシステム２００にユニットカウントを報告する。例えば、メトリック評価部１３２がＮｏｋ個の受信成功ＲＬＣデータユニットをカウントする場合、テストモジュール１３０はテストシステム２００にＮｏｋを報告する。あるいは、メトリック評価部１３２がＮｂａｄ個の受信失敗ＲＬＣデータユニットをカウントする場合、テストモジュール１３０はテストシステム２００にＮｂａｄを報告する。続いてテストシステム２００は、報告されたユニットカウントに基づいて、テストデータに対し、エラーレートのような所望の動作メトリックを定める。例えば、テストシステム２００がＮ個のＲＬＣデータユニットを送信する場合、エラーレートは、Ｎｂａｄ／Ｎあるいは（Ｎ−Ｎｏｋ）／Ｎと計算可能である。
【００１６】
別の実施形態において、メトリック評価部１３２は、エラーレートまたは他の動作メトリック、すなわちＳＤＵ  ＥＲおよび／またはＢＬＥＲを計算する。この実施形態において、メトリック評価部１３２は、受信ＲＬＣデータユニットの評価に基づき、エラーレートを計算する。テストモジュール１３０は、テスト制御部１２０を介して直接テストシステム２００に計算エラーレートを報告する。
【００１７】
図２は、テストモード中、一方向ダウンリンク無線ベアラではなく制御チャネルを用いて、データリンクレイヤＬ２からネットワークレイヤＬ３へＲＬＣデータユニットを送信する本発明の別の実施形態を示す。この実施形態によれば、ＲＬＣデータユニットは、ＲＲＣサブレイヤ１１０へ送信される制御プレーン情報に含まれる。図２に示すように、ＲＬＣデータユニットは、テストモジュール１３０とＲＲＣサブレイヤ１１０との両方に提供される場合がある。あるいは、制御チャネル情報は、テストモード中は選択的にテストモジュールへ向けられ、標準動作モード中は選択的にＲＲＣサブレイヤ１１０へ向けられる場合もある。いずれにしても、テストモジュール１３０とメトリック評価部１３２とは受信ＲＬＣデータユニットを上述のように処理する。
【００１８】
図３および４は、本発明による代替実施形態を示す。この実施形態は、上述の実施形態と同一のプロトコルレイヤを用いる。ゆえに、ここではもうプロトコルレイヤに関しては論じない。
【００１９】
図３において、テストモジュール１３０は少なくとも１つのループバックモジュール１３４を備える。テストシステム２００は、ＲＲＣサブレイヤ１１０介して、ワイヤレス通信装置１００とテストシステム２００との間の一方向ダウンリンク無線ベアラと一方向アップリンク無線ベアラとを構成する。テスト始動メッセージを受信することに応じて、テスト制御部１２０はテストモジュール１３０を始動させる。一方向アップリンク無線ベアラは、ランダムアクセスチャネル（Ｒａｎｄｏｍ  Ａｃｃｅｓｓ  Ｃｈａｎｎｅｌ：ＲＡＣＨ）にマップされるいかなる一方向無線ベアラであってもよく、または専用チャネル（ｄｅｄｉｃａｔｅｄ  ｃｈａｎｎｅｌ：ＤＣＨ）のような他のいかなるアップリンク輸送チャネルであってもよい。テストモジュール１３０を始動し、一方向ダウンリンク無線ベアラと一方向アップリンク無線ベアラとを構成した後、ワイヤレス通信装置１００は、テストシステム２００へ始動完了メッセージを送信する。その後、ワイヤレス通信装置１００は、テスト制御部１２０がテストモジュール１３０を逆始動するまでテストモードで動作する。
【００２０】
テストモード中、ループバックモジュール１３４は、テストシステム２００から一方向ダウンリンク無線ベアラを介して送信されるＲＬＣデータユニットを受信し、各受信成功ＲＬＣデータユニットの少なくとも一部を、一方向アップリンク無線ベアラを介してテストシステム２００へループバックする。各受信成功ＲＬＣデータユニットが１度だけループバックされることを保障するために、テストシステム２００は、疑似乱数データの列を用いて、送信ＲＬＣデータユニットのデータ部分を満たす場合がある。この場合、疑似乱数データは、ワイヤレス通信装置１００にとって不明であるべきである。疑似乱数列はテストの実行ごとに変化すべきであることが了解されるであろう。
【００２１】
対応するループバックデータユニットに含まれる各受信ＲＬＣデータユニットの部分は、受信ＲＬＣデータユニットのサイズに関連するループバックデータユニットのサイズに依存する。例えば、アップリンクＲＬＣデータユニットのサイズが受信ＲＬＣデータユニットのサイズと等しく設定されると、ループバックモジュール１３４は受信ＲＬＣデータユニットの全部をループバックする。さらに、アップリンクＲＬＣデータユニットのサイズが受信ＲＬＣデータユニットのサイズよりも大きく設定されると、ループバックモジュール１３４は、対応するループバックデータユニットを満たすのに必要であるだけ、受信ＲＬＣデータユニットを反復、または水増しする場合がある。しかしながら、アップリンクＲＬＣデータユニットのサイズが受信ＲＬＣデータユニットのサイズよりも小さく設定されると、ループバックモジュール１３４は、受信ＲＬＣデータユニットの一部のみをループバックする。例えば、アップリンクＲＬＣデータユニットのサイズがＫビットに設定されると、ループバックモジュール１３４は、各受信ＲＬＣデータユニットの最初のＫビットをループバックする場合がある。
【００２２】
ループバックデータユニットを受信すると、テストシステム２００は、ループバックデータユニットに基づいてエラーメトリックを計算する。例えば、テストシステム２００は、ループバックデータユニットを評価および／またはカウントして、テストモジュール１３０で受信成功したＲＬＣデータユニットの数（Ｎｏｋ）またはテストモジュール１３０で受信失敗したＲＬＣデータユニットの数（Ｎｂａｄ）を定める場合がある。次にテストシステム２００は、Ｎｂａｄ／Ｎを計算することによりエラーレートを計算可能であり、ここでＮは、テストシステム２００により送信されるＲＬＣデータユニットの数を表している。あるいは、テストシステム２００は、（Ｎ−Ｎｏｋ）／Ｎを計算することによりエラーレートを計算してもよい。
【００２３】
図４は、一方向ダウンリンク無線ベアラではなく制御チャネルを用いて、テストモード中、データリンクレイヤＬ２からネットワークレイヤＬ３へＲＬＣデータユニットを送信する別の実施形態を示す。この実施形態については、上述のように、ループバックモジュール１３４は、制御チャネルを介してＲＬＣデータユニットを受信し、受信ＲＬＣデータユニットの少なくとも一部を、一方向アップリンク無線ベアラを介してテストシステム２００へループバックする。
【００２４】
図５は、上述の本発明によるテストシステム２００と通信しているワイヤレス通信装置１００のブロック図を示す。ワイヤレス通信装置１００は、プロセッサ１５０と、メモリ１６０と、トランシーバ１７０とを備える。プロセッサ１５０は、メモリ１６０に格納されるプログラムにしたがってワイヤレス通信装置１００の動作を制御する。加えて、プロセッサ１５０は、少なくとも１つのメトリック評価部１３２とループバックモジュール１３４とを備えるテストモジュール１３０を備える。トランシーバ１７０は当技術分野において周知であるワイヤレス信号を送受信する。
【００２５】
テストシステム２００はプロセッサ２１０とトランシーバ２２０とを備える。プロセッサ２１０はテストシステム２００の動作を制御する。加えて、ループバックデータユニット、またはテストモジュール１３０による受信が成功（または失敗）したＲＬＣデータユニットの数に関連する報告ユニットカウントに基づいて、所望の動作メトリックを計算する任意のメトリック計算部２１２を、プロセッサ２１０は備えてもよい。トランシーバ２２０は、テスト動作に要求される制御およびデータ信号を送受信する。
【００２６】
図６は、図１および２の例示的実施形態として、図５のワイヤレス通信装置１００およびテストシステム２００の動作を広く説明する流れ図を示す。テスト手続を開始するために、テストシステム２００内のプロセッサ２１０はテスト始動メッセージを生成し、トランシーバ２２０はワイヤレス通信装置１００へテスト始動メッセージを送信する（ブロック３００）。ワイヤレス通信装置１００からの確認を受信した後、トランシーバ２２０は、プロセッサ２１０により生成されるＲＬＣデータユニットを、ワイヤレス通信装置１００へ送信する（ブロック３０５）。続いてトランシーバ２２０は、ワイヤレス通信装置１００から１または２以上のエラーメトリックを受信する（ブロック３１０）。ワイヤレス通信装置１００による受信が成功（または失敗）したＲＬＣデータユニットの数に関連するユニットカウントをエラーメトリックが含む場合、プロセッサ２１０内のメトリック計算部２１２は、ユニットカウントに基づいて所望の動作メトリックを計算する（ブロック３１５）。
【００２７】
テストワイヤレス通信装置１００において、トランシーバ１７０はテスト始動メッセージを受信し（ブロック３２０）、プロセッサ１５０はテストモジュール１３０を始動させる（ブロック３２５）。続いて、テストモジュール１３０は、一方向ダウンリンク無線ベアラまたは制御チャネルを介してＲＬＣデータユニットを受信する（ブロック３３０）。メトリック評価部１３２は上述のようにエラーメトリックを定める（ブロック３３５）。テストモジュール１３０は、定められたエラーメトリックを、テスト制御部１２０を介してテストシステム２００へ報告する（ブロック３４０）。
【００２８】
図７は、図３および４の例示的実施形態として、図５のワイヤレス通信装置１００およびテストシステム２００の動作を広く説明する流れ図を示す。テスト手続を開始するために、テストシステム２００内のプロセッサ２１０は、ワイヤレス通信装置１００とテストシステム２００との間の一方向アップリンク無線ベアラを、ＲＲＣサブレイヤ１１０を介して構成し（ブロック３５０）、テスト始動メッセージを生成する。トランシーバ２２０は、ワイヤレス通信装置１００へテスト始動メッセージを送信する（ブロック３５５）。ワイヤレス通信装置１００からの確認を受信した後、トランシーバ２２０は、プロセッサ２１０により生成されるＲＬＣデータユニットをワイヤレス通信装置１００へ送信する（ブロック３６０）。続いてトランシーバ２２０は、一方向アップリンク無線ベアラを介してワイヤレス通信装置１００から、ループバックデータユニットを受信する（ブロック３６５）。プロセッサ２１０内のメトリック計算部２１２が、上述のようにループバックデータユニットに基づいて所望の動作メトリックを計算する（ブロック３７０）。
【００２９】
テストワイヤレス通信装置１００において、トランシーバ１７０はテスト始動メッセージを受信する（ブロック３７５）。テスト始動メッセージに応じて、プロセッサ１５０はテストモジュール１３０を始動させる（ブロック３８０）。続いて、テストモジュール１３０は、一方向ダウンリンク無線ベアラまたは制御チャネルを介してＲＬＣデータユニットを受信する（ブロック３８５）。ループバックモジュール１３４は、一方向アップリンク無線ベアラを介して、受信ＲＬＣデータユニットの少なくとも一部を返す（ブロック３９０）。
【００３０】
上述の発明は、ＭＢＭＳで使用されるような一方向無線ベアラおよび／または制御チャネルの動作が所定の動作要求を満たすことをテストシステムが検証することを可能とする。これにより、ポイントツーマルチポイントワイヤレスサービスのプロバイダを含むワイヤレスサービスプロバイダがポイントツーマルチポイントサービスの十分なカバーエリアに対して必要なサービスの質を提供することが可能となる。
【００３１】
上述の発明は動作テスト以外にも使用可能であることが了解されるであろう。テストシステム２００は機能テストを行うことにも使用可能である。例えば、ネットワークがワイヤレス通信装置１００の制御をあるセルから別のセルへハンドオーバした後、上述のテストモジュール１３０は、新しいセルから送信されるブロードキャストデータをワイヤレス通信装置１００が受信していることを確認することに使用可能である。この実施形態について、テストシステム２００は上述のテスト手続のいずれかを実施する。テストシステム２００が何かエラーメトリックまたはループバックデータを受信すると、テストシステム２００は、ブロードキャスト動作がワイヤレス通信装置１００において適当に機能していることを確認する。
【００３２】
１つのメトリック評価部１３２または１つのループバックモジュール１３４を有するテストモジュール１３０について本発明を上述したが、当業者であれば、複数のテストを同時に実行するために、テストモジュール１３０が複数のメトリック評価部１３２および／またはループバックモジュール１３４を備えることが可能であることが了解されるであろう。さらに、テストシステムが両テストオプションを活用可能とするために、ワイヤレス通信装置１００内のテストモジュール１３０がメトリック評価部１３２とループバックモジュール１３４との両方を備えることが可能であることも了解されるであろう。最後に、ワイヤレス通信装置１００は、ワイヤレス通信装置１００とテストシステム２００との間に、テストされている一方向無線ベアラに加え、双方向無線ベアラを備えることが可能であることも了解されるであろう。
【００３３】
言うまでもなく、本発明は、ここで具体的に説明した以外の他の方法でも、本発明の本質的特徴を逸脱することなく実施可能である。本実施形態は、あらゆる点において、説明的であって、限定的ではないとみなされるものであり、添付の特許請求の範囲の意味内および均等範囲内の全変更は本発明に含まれることが意図される。
【図面の簡単な説明】
【００３４】
【図１】本発明の実施形態の一例によるワイヤレス通信装置用プロトコルレイヤを示す。
【図２】本発明の実施形態の別例によるワイヤレス通信装置用プロトコルレイヤを示す。
【図３】本発明の実施形態の別例によるワイヤレス通信装置用プロトコルレイヤを示す。
【図４】本発明の実施形態の別例によるワイヤレス通信装置用プロトコルレイヤを示す。
【図５】本発明によるテストシステムと通信するワイヤレス通信装置のブロック図を示す。
【図６】実施形態の一例によるあるテスト処理を示す。
【図７】実施形態の別例による別のテスト処理を示す。
【図１】
2009528739.tif 000003
【図２】
2009528739.tif 000004
【図３】
2009528739.tif 000005
【図４】
2009528739.tif 000006
【図５】
2009528739.tif 000007
【図６】
2009528739.tif 000008
【図７】
2009528739.tif 000009
【国際調査報告】
2009528739.tif 000010
2009528739.tif 000011
2009528739.tif 000012